(57)【要約】                                                                        【課題】足腰の弱った人が、床で寝ている状態から楽に立ち上がることができるようにするための起立補助要素を備え、臥位、立位、座位の間を移行する身体動作を段階的に補助し、かつ、柔軟に推移可能な家具構造に改善するとともに、自立生活を支援する。【解決手段】起立補助用家具７が、床に伏した状態で手の届く高さの下段収納１の天面に、上肢をついて身体を預けることができる広さを持つ下天板２と、下天板２に身体を預けた中腰の状態で手の届く高さの上段収納３の天面に、上肢をついて身体を預けることができる広さを持つ上天板４を有する。着座補助用家具８が、床に伏した状態で手の届く高さの下段収納の天面に、着座できる広さを持つ座天板５を設けて座面を形成し、該座面の１辺に立設した背板６を有する。これらを横並びに併設して動線方向を延長した起立・着座補助用ユニット家具Ｘを構成する。【選択図】      図１
2005287550.tif 000002
【特許請求の範囲】
【請求項１】
ユニット家具の１単位として構成され、臥位又は床から立ち上がる際の起立移行動作を支援するために階段状の起立補助要素を設けた起立補助用家具であって、
床に伏した状態で手の届く高さに面形成され、上肢をついて身体を預けて移行開始から移行途中までの動作又は動的姿勢を受承支持するための第１の起立補助要素と、
前記第１の起立補助要素に身体を預けた中腰の状態で手の届く高さに面形成され、上肢をついて身体を預けて前記移行途中から起立までの動作又は動的姿勢ないしは維持姿勢を受承支持するための第２の起立補助要素を具備し、
起立移行動作又は動的姿勢ないしは維持姿勢を段階的に補助し、かつ、柔軟に推移させるようしたことを特徴とする起立補助用家具。
【請求項２】
第１の起立補助要素が、床に伏した状態で手の届く高さの下段収納要素の天面に、上肢をついて身体を預けることができる広さを持つ下天板として形設されるものであり、
第２の起立補助要素が、前記下天板に身体を預けた中腰の状態で手の届く高さの上段収納要素の天面に、上肢をついて身体を預けることができる広さを持つ上天板として形設されるものである請求項１記載の起立補助用家具。
【請求項３】
ユニット家具の１単位として構成され、少なくとも臥位又は床から身を起こして腰掛ける際の着座移行動作を支援するための着座補助用家具であって、
床に伏した状態で手の届く高さの下段収納要素の天面に、着座できる広さを持つ座天板を設けて座面を形成し、該座面の１辺に背板を立設してなり、
着座移行動作又は動的姿勢ないしは維持姿勢を段階的に補助し、かつ、柔軟に推移させるようしたことを特徴とする着座補助用家具。
【請求項４】
請求項１又は２記載の起立補助用家具と請求項３記載の着座補助用家具を分離可能で連設可能に組成した起立・着座補助用ユニット家具であって、
前記起立補助用家具の第１の起立補助要素又は下天板と前記着座補助用家具の座面とがそれぞれ同一の床面高さを有し、かつ、前記起立補助用家具の第２の起立補助要素又は上天板と前記着座補助用家具の背板の上端とがそれぞれ同一の床面高さを有するものであり、横並びに併設して動線方向を延長してなり、
臥位と立位と座位の少なくとも２つからなる順行的又は逆行的におこなう移行動作又は動的姿勢ないしは維持姿勢を、段階的に補助し、かつ、柔軟に推移させるようしたことを特徴とする起立・着座補助用ユニット家具。
【発明の詳細な説明】
【技術分野】
【０００１】
本発明は、家具構造として、足腰の弱った人が、床で寝ている状態から楽に立ち上がることができるようにするための補助要素を具備した起立補助用家具及び着座補助用家具並びに起立・着座補助用ユニット家具に関する。
【背景技術】
【０００２】
従来より、高齢者や障害者など足腰の弱った人が、寝ている状態から立ち上がることは困難であり、椅子などを利用して臥位から立位の間に座位を経由する方法が取られていた。この方法を容易に実現するためには、ベッドを利用することで、床より高い位置に寝ることができるため、足を床に下ろすだけで座位をとることができる。しかし、高い位置での就寝に慣れていない人はベッドの使用は落ち着かず、床での就寝を望んでいる。その場合、床面からの立ち上がりのための補助装置としては手すりがあり、それにつかまって体重を預ける方法によって徐々に立ち上がっている。
【０００３】
こうしたなかで、臥位、立位、座位の間を移行する身体動作を補助する手摺付家具（例えば、特許文献１を参照。）、家具収納椅子（例えば、特許文献２を参照。）、座面形成用家具（例えば、特許文献３を参照。）等の提案があった。
【特許文献１】特開２００１−２６９２３１号公報
【特許文献２】特開２００２−６５３９９号公報
【特許文献３】特開２００２−１３２７７号公報
【発明の開示】
【発明が解決しようとする課題】
【０００４】
しかしながら、床面からの立ち上がりに用いられる手すりは、たとえばそのそばを歩くときに衣服が引っかかるなど、起立動作以外のときには邪魔になるものである。また、手すりは握る動作を要するため、握力が弱くなっている人が使用することは困難である。
【０００５】
本発明はこのような事情に鑑みなされたものであって、上記課題を解消し、空間を占有する上に、つかむ動作を必要とする、手すり形状のものを新たに用意することなく、通常、使用場所である居室に置かれる家具に、床で就寝している人が中腰または座位を経由して立ち上がることを容易にする機能を備えた起立補助用家具及び着座補助用家具並びに起立・着座補助用ユニット家具を提供するものである。
【課題を解決するための手段】
【０００６】
課題を解決するために本発明は、ユニット家具の１単位として構成され、臥位又は床から立ち上がる際の起立移行動作を支援するために階段状の起立補助要素を設けた起立補助用家具であって、床に伏した状態で手の届く高さに面形成され、上肢をついて身体を預けて移行開始から移行途中までの動作又は動的姿勢を受承支持するための第１の起立補助要素と、前記第１の起立補助要素に身体を預けた中腰の状態で手の届く高さに面形成され、上肢をついて身体を預けて前記移行途中から起立までの動作又は動的姿勢ないしは維持姿勢を受承支持するための第２の起立補助要素を具備し、起立移行動作又は動的姿勢ないしは維持姿勢を段階的に補助し、かつ、柔軟に推移させるようしたことを特徴とするものである。
【０００７】
ここで、第１の起立補助要素が、床に伏した状態で手の届く高さの下段収納要素の天面に、上肢をついて身体を預けることができる広さを持つ下天板として形設されるものであり、第２の起立補助要素が、前記下天板に身体を預けた中腰の状態で手の届く高さの上段収納要素の天面に、上肢をついて身体を預けることができる広さを持つ上天板として形設されるものである。
【０００８】
また、ユニット家具の１単位として構成され、少なくとも臥位又は床から身を起こして腰掛ける際の着座移行動作を支援するための着座補助用家具であって、床に伏した状態で手の届く高さの下段収納要素の天面に、着座できる広さを持つ座天板を設けて座面を形成し、該座面の１辺に背板を立設してなり、着座移行動作又は動的姿勢ないしは維持姿勢を段階的に補助し、かつ、柔軟に推移させるようしたことを特徴とするものである。
【０００９】
さらに、起立補助用家具及び着座補助用家具を分離可能で連設可能に組成した起立・着座補助用ユニット家具であって、前記起立補助用家具の第１の起立補助要素又は下天板と前記着座補助用家具の座面とがそれぞれ同一の床面高さを有し、かつ、前記起立補助用家具の第２の起立補助要素又は上天板と前記着座補助用家具の背板の上端とがそれぞれ同一の床面高さを有するものであり、横並びに併設して動線方向を延長してなり、臥位と立位と座位の少なくとも２つからなる順行的又は逆行的におこなう移行動作又は動的姿勢ないしは維持姿勢を、段階的に補助し、かつ、柔軟に推移させるようしたことを特徴とするものである。
【発明の効果】
【００１０】
この発明によれば、高さの違う天板に身体を順次預けることで、足腰の弱い人でも容易に床に寝ている状態から立ち上がることができる。手すりのような起立動作専用の補助具と違い、家具に機能を持たせることで、起立動作をしていない時にも邪魔にならない。しかも、身体を預ける方法をとるため、握ることを必要とする手すりや杖と比べて、体力のない人にとっても使いやすい。
【００１１】
具体的には、床に伏した状態から四つ這いで家具に近づき、手の届く高さにある下天板２に上肢すなわち手もしくはひじを載せ体重を預けることで、容易に中腰状態に移行できる。その状態から手の届く高さにある上天板４へとたどることで楽に立ち上がることができる。
【００１２】
また、床に伏した状態で手の届く高さに、着座できる広さを持つ座天板５および背板６を備えることで、寝ている状態から座った状態へ移行し、一旦休憩することが容易になり、さらに座った状態から上天板４へ上肢を載せ体重を預けることで、楽に起立することができる。
【発明を実施するための最良の形態】
【００１３】
本発明の最良形態について図面を参照して以下説明する。
【００１４】
図１は、本発明の起立・着座補助用ユニット家具の外観斜視図である。
【００１５】
図示するように、起立・着座補助用ユニット家具Ｘは、起立補助用家具７及び着座補助用家具８を分離可能で連設可能に組成したものである。
【００１６】
起立補助用家具７は、床に伏した状態で手の届く高さの下段収納１に、上肢をついて身体を預けることができる広さを持つ下天板２を設けることにより、床に伏した状態から、中腰の状態へ導くことができる。
【００１７】
ここで、下段収納１および上段収納３が共通の背板を持ち、下天板２が上肢をついて身体を預けることができる広さをもつことができるように、上段収納３の奥行きを短く組み上げる方法で、身体を預けた中腰の状態で手の届く高さの上段収納３を設け、その天面に、上肢をついて身体を預けることができる広さを持つ上天板４を設けることにより、中腰または座っている状態から起立の状態へ導くことができる。
【００１８】
また、下段収納１および上段収納３の関係については、下天板２の上部に下天板２が上肢をついて身体を預けることができる広さをもつことができる短い奥行きの上段収納３を載せて、ねじなどを用いて固定する方法をとることもできる。
【００１９】
一方、着座補助家具８は、床に伏した状態で手の届く高さの下段収納１に、着座できる広さを持つ座天板５を備え、下段収納１より高く突き出し、およそ上部収納３の位置まである背板６によって、着座時の背もたれ機能をもたせる。こうすることによって、床に伏している状態から座っている状態に導くことができる。
【００２０】
このように、起立・着座補助用ユニット家具Ｘは、たどり立ちユニット７（起立補助用家具）および座り立ちユニット８（着座補助家具）を連設したものであり、その接合面をねじなどの容易に取り付け取り外しが可能な手段で接合されており、それぞれのユニットの両側面に接合機構を備えることで、就寝している身体に対する家具の向きや、麻痺をはじめとする身体の障害などの状況に応じて、図１とは逆にたどり立ちユニット７が右になる左右勝手違いの接合も可能であるのはもちろんである。
【００２１】
なお、左右付け替えは不可能になるが、たどり立ちユニット７および座り立ちユニット８が共通の背板を持つ構造による形態も可能である。
【図面の簡単な説明】
【００２２】
【図１】本発明の一つの実施の形態に係る家具の外観斜視図である。
【符号の説明】
【００２３】
１  下段収納（要素）
２  下天板〔第１の補助要素〕
３  上段収納（要素）
４  上天板〔第２の補助要素〕
５  座天板（座面）
６  背板
７  起立補助用家具（たどり立ちユニット）
８  着座補助用家具（座り立ちユニット）
Ｘ  起立・着座補助用ユニット家具
【図１】
2005287550.tif 000003